(57)【特許請求の範囲】
【請求項１】
板状の電線固定部を有するハウジングと、
前記ハウジングから外部に引き出される電線と、
前記電線固定部と前記電線とに巻き付けられて、前記電線を前記電線固定部に固定させる結束バンドとを備えたコネクタであって、
前記電線固定部における前記電線の延出方向と交差する幅方向の両端部には、前記結束バンドが選択的に通される一対の主バンド通し部が形成され、さらに、
前記電線固定部の幅方向の中間部となる前記両主バンド通し部の間にも、前記結束バンドが選択的に通される副バンド通し部が形成され、
前記両主バンド通し部と前記副バンド通し部とが幅方向に千鳥配置されていることを特徴とするコネクタ。
【請求項２】
板状の電線固定部を有するハウジングと、
前記ハウジングから外部に引き出される電線と、
前記電線固定部と前記電線とに巻き付けられて、前記電線を前記電線固定部に固定させる結束バンドとを備えたコネクタであって、
前記電線固定部における前記電線の延出方向と交差する幅方向の両端部には、前記結束バンドが選択的に通される一対の主バンド通し部が形成され、さらに、
前記電線固定部の幅方向の中間部となる前記両主バンド通し部の間にも、前記結束バンドが選択的に通される副バンド通し部が形成され、
前記電線固定部には、前記ハウジングの一部を成形する際に通過する金型によって型抜き孔が形成されており、前記型抜き孔が前記副バンド通し部で構成されていることを特徴とするコネクタ。
【請求項３】
外部に引き出された電線が結束バンドの巻き付けによって固定される板状の電線固定部を有し、
前記電線固定部における前記電線の延出方向と交差する幅方向の両端部には、前記結束バンドが選択的に通される一対の主バンド通し部が形成され、さらに、
前記電線固定部の幅方向の中間部となる前記両主バンド通し部の間にも、前記結束バンドが選択的に通される副バンド通し部が形成され、
前記両主バンド通し部と前記副バンド通し部とが幅方向に千鳥配置されていることを特徴とするハウジング。
【請求項４】
外部に引き出された電線が結束バンドの巻き付けによって固定される板状の電線固定部を有し、
前記電線固定部における前記電線の延出方向と交差する幅方向の両端部には、前記結束バンドが選択的に通される一対の主バンド通し部が形成され、さらに、
前記電線固定部の幅方向の中間部となる前記両主バンド通し部の間にも、前記結束バンドが選択的に通される副バンド通し部が形成され、
前記電線固定部には、前記ハウジングの一部を成形する際に通過する金型によって型抜き孔が形成されており、前記型抜き孔が前記副バンド通し部で構成されていることを特徴とするハウジング。
【発明の詳細な説明】
【技術分野】
【０００１】
本発明は、コネクタ及びハウジングに関する。
【背景技術】
【０００２】
特許文献１に記載のコネクタは、ハウジングと、ハウジングの後端部に装着される電線カバーとを備えている。電線カバーは、ハウジングの後面から引き出された電線を覆うように配置され、その一端部における電線導出口の口縁から板状の電線固定部が突出して形成されている。電線と電線固定部とには結束バンドが巻き付けられ、これによって電線が電線固定部に固定される。
【０００３】
また、電線固定部には、結束バンドを挿通可能な一対の結束孔が形成されている。電線を電線固定部に固定するに際し、電線の本数や外径に応じて、両結束孔のうちのいずれに結束バンドを通すのかどうかを適宜選択することにより、電線が電線固定部に複数パターンで固定されるようになっている。
【先行技術文献】
【特許文献】
【０００４】
【特許文献１】特開２００２−３４３４９７号公報
【発明の概要】
【発明が解決しようとする課題】
【０００５】
ところで、上記従来のコネクタの場合、結束孔の個数が２つのみであるため、結束バンドの巻回経路を決定する際の選択の幅が狭いという事情がある。したがって、例えば、電線の本数がさらに少なくなると、結束バンドと電線固定部との間で電線が遊動する余地が生じ、電線が電線固定部にしっかりと固定されないおそれがある。
【０００６】
本発明は上記のような事情に基づいて完成されたものであって、電線の本数が少なくなっても、電線がしっかりと固定されるようにすることを目的とする。
【課題を解決するための手段】
【０００７】
上記の目的を達成するための手段として、請求項１の発明は、板状の電線固定部を有するハウジングと、前記ハウジングから外部に引き出される電線と、前記電線固定部と前記電線とに巻き付けられて、前記電線を前記電線固定部に固定させる結束バンドとを備えたコネクタであって、前記電線固定部における前記電線の延出方向と交差する幅方向の両端部には、前記結束バンドが選択的に通される一対の主バンド通し部が形成され、さらに、  前記電線固定部の幅方向の中間部となる前記両主バンド通し部の間にも、前記結束バンドが選択的に通される副バンド通し部が形成され、前記両主バンド通し部と前記副バンド通し部とが幅方向に千鳥配置されているコネクタであるところに特徴を有する。
【０００８】
請求項２の発明は、板状の電線固定部を有するハウジングと、前記ハウジングから外部に引き出される電線と、前記電線固定部と前記電線とに巻き付けられて、前記電線を前記電線固定部に固定させる結束バンドとを備えたコネクタであって、前記電線固定部における前記電線の延出方向と交差する幅方向の両端部には、前記結束バンドが選択的に通される一対の主バンド通し部が形成され、さらに、前記電線固定部の幅方向の中間部となる前記両主バンド通し部の間にも、前記結束バンドが選択的に通される副バンド通し部が形成され、前記電線固定部には、前記ハウジングの一部を成形する際に通過する金型によって型抜き孔が形成されており、前記型抜き孔が前記副バンド通し部で構成されているコネクタであるところに特徴を有する。
【０００９】
請求項３の発明は、外部に引き出された電線が結束バンドの巻き付けによって固定される板状の電線固定部を有し、前記電線固定部における前記電線の延出方向と交差する幅方向の両端部には、前記結束バンドが選択的に通される一対の主バンド通し部が形成され、さらに、 前記電線固定部の幅方向の中間部となる前記両主バンド通し部の間にも、前記結束バンドが選択的に通される副バンド通し部が形成され、前記両主バンド通し部と前記副バンド通し部とが幅方向に千鳥配置されているハウジングであるところに特徴を有する。
【００１０】
請求項４の発明は、外部に引き出された電線が結束バンドの巻き付けによって固定される板状の電線固定部を有し、前記電線固定部における前記電線の延出方向と交差する幅方向の両端部には、前記結束バンドが選択的に通される一対の主バンド通し部が形成され、さらに、  前記電線固定部の幅方向の中間部となる前記両主バンド通し部の間にも、前記結束バンドが選択的に通される副バンド通し部が形成され、前記電線固定部には、前記ハウジングの一部を成形する際に通過する金型によって型抜き孔が形成されており、前記型抜き孔が前記副バンド通し部で構成されているハウジングであるところに特徴を有する。
【発明の効果】
【００１３】
＜請求項１又は請求項３の発明＞
電線固定部の幅方向の両端部に主バンド通し部が形成されているとともに、電線固定部の幅方向の中間部にも副バンド通し部が形成されているため、主バンド通し部に加えて副バンド通し部にも結束バンドを通すことが可能となる。したがって、仮に、電線の本数が少なくなっても、副バンド通し部に結束バンドを通すことにより、電線固定部に電線をしっかりと固定させることができる。
【００１４】
また、主バンド通し部と副バンド通し部とが幅方向に千鳥配置されているため、主バンド通し部と副バンド通し部との間の距離が過度に詰められることがない。したがって、主バンド通し部と副バンド通し部との間にある程度まとまった本数の電線を保持することができる。また、電線固定部の強度を確保できる。
【００１５】
＜請求項２又は請求項４の発明＞
電線固定部の幅方向の両端部に主バンド通し部が形成されているとともに、電線固定部の幅方向の中間部にも副バンド通し部が形成されているため、主バンド通し部に加えて副バンド通し部にも結束バンドを通すことが可能となる。したがって、仮に、電線の本数が少なくなっても、副バンド通し部に結束バンドを通すことにより、電線固定部に電線をしっかりと固定させることができる。また、型抜き孔が副バンド通し部で構成されているから、型抜き孔と副バンド通し孔とが別々に形成されている場合に比べ、電線固定部の構成が簡素化される。
【図面の簡単な説明】
【００１６】
【図１】本発明の実施形態１に係るコネクタにおいて、電線固定部をあらわすハウジングの要部背面図である。
【図２】電線固定部をあらわすハウジングの側面図である。
【図３】結束バンドが第１巻回経路を通ることによって電線固定部に電線が固定される状態をあらわす断面図である。
【図４】結束バンドが第２巻回経路を通ることによって電線固定部に電線が固定される状態をあらわす断面図である。
【図５】結束バンドが第３巻回経路を通ることによって電線固定部に電線が固定される状態をあらわす断面図である。
【発明を実施するための形態】
【００１７】
＜実施形態１＞
本発明の実施形態１を図１ないし図５によって説明する。実施形態１に係るコネクタ１０は、ハウジング２０と電線４０とを備えている。
【００１８】
ハウジング２０は合成樹脂製であって、全体としてブロック状をなしている。ハウジング２０には複数のキャビティ２１が形成されている。各キャビティ２１内には後方から端子金具（図示せず）が挿入される。各端子金具は電線４０の端末部に接続されている。各キャビティ２１内に端子金具が挿入されると、ハウジング２０の後面から複数の電線４０が引き出される。
【００１９】
ハウジング２０の後端部には、ハウジング２０とは別体の電線カバー（図示せず）が装着される。電線カバーは、ハウジング２０の後面から引き出された各電線４０を覆うように配置される。電線カバーの一側面には、電線導出口が開口して形成されている。各電線４０は、電線導出口を通して外部に導出させられる。
【００２０】
また、ハウジング２０の一側面２６の後端部には、図１及び図２に示すように、板状の電線固定部２２が形成されている。電線固定部２２は、電線カバーの電線導出口と対向する位置に配置されている。具体的には、電線固定部２２は、ハウジング２０の一側面２６の後端部から後方に突出する略矩形状の基端部２３と、基端部２３の後端からやや後方へ傾斜しつつ一側方に突出する略矩形状の本体部２４とからなる。本体部２４は、その幅方向（電線４０の延出方向と直交する方向）の中央部が前方へ膨出するようにして断面円弧状に湾曲する形態とされている。
【００２１】
さて、本体部２４の幅方向両端部には、一対の主バンド通し部２７が開口して形成されている。両主バンド通し部２７は、互いに同一の形状であって、電線４０の延出方向に長い略矩形状に開口する形態とされている。そして、両主バンド通し部２７は、それぞれ幅方向に沿った仮想線Ａ上に並んで配置されている。
【００２２】
また、本体部２４の幅方向中間部（詳細には幅方向中央部）となる両主バンド通し部２７の間には、一つの副バンド通し部２８が開口して形成されている。副バンド通し部２８は、主バンド通し部２７よりも小さい開口面積を有し、幅方向に長い略矩形状に開口する形態とされている。そして、副バンド通し部２８は、仮想線Ａよりも基端部２３寄りの位置に配置されている。したがって、両主バンド通し部２７と副バンド通し部２８とは幅方向に千鳥配置とされている。
【００２３】
また、ハウジング２０の両側面の幅方向中間部（詳細には幅方向中央部）には、前後方向に延びる一対のリブ２９が突出して形成されている。ハウジング２０が相手ハウジング（図示せず）に嵌合される場合に、両リブ２９が相手ハウジングに形成されたリブ受け部に適合して挿入されることにより、ハウジング２０が相手ハウジングに対し正規の嵌合姿勢から傾いて嵌合されるのが防止されるようになっている。そして、電線固定部２２には、ハウジング２０の一側面２０に位置するリブ２９を成形するためのスライド型が通過することによって型抜き孔２５が形成されている。この型抜き孔２５は、副バンド通し部２８によって構成されている。言い換えれば、副バンド通し部２８が型抜き孔２５を兼用している。
【００２４】
次に、電線固定部２２に電線４０を固定する方法について説明する。
ハウジング２０から引き出された各電線４０は、結束バンド６０によって電線固定部２２に固定される。結束バンド６０は、電線固定部２２と電線４０とに外側から巻回されて締め付けられる。
【００２５】
例えば、ハウジング２０の後面から引き出された電線４０の本数が多い場合、図３に示すように、結束バンド６０が電線固定部２２の幅方向両側縁に掛け止められる第１巻回経路をとることができる。この第１巻回経路では、結束バンド６０が主バンド通し部２７と副バンド通し部２８とに通されて掛け止められることがない。
【００２６】
また、例えば、電線４０の本数が少ない場合、図４に示すように、結束バンド６０が電線固定部２２の両主バンド通し部２７に通されて掛け止められる第２巻回経路をとることができる。この第２巻回経路では、結束バンド６０が、電線固定部２２の幅方向両側縁と副バンド通し部２８とに掛け止められることがない。
【００２７】
また、例えば、電線４０の本数がさらに少ない場合、図５に示すように、結束バンド６０が電線固定部２２の主バンド通し部２７の一方と副バンド通し部２８とに通されて掛け止められる第３巻回経路をとることができる。この第３巻回経路では、結束バンド６０が、電線固定部２２の幅方向両側縁と主バンド通し部２７のもう一方とに掛け止められることがない。
【００２８】
第１〜第３巻回経路では、結束バンド６０と電線固定部２２との間に、各電線４０が遊動規制状態に保持される。したがって、各電線４０が振動等によってがたつくのが防止される。なお、電線径が小さくなって各電線４０全体の断面積が減少する場合にも、第２、第３巻回経路等を適宜選択することにより、上記同様に対応できる。
【００２９】
このように、本実施形態によれば、結束バンド６０の巻回経路として、主バンド通し部２７と副バンド通し部２８とを選択的に利用することにより、電線４０の本数の減少に柔軟に対応することができる。このため、電線４０の本数が少なくなっても、例えば、副バンド通し部２８に結束バンド６０を通すことにより、各電線４０が電線固定部２２にしっかりと固定される。
【００３０】
この場合、仮に、電線固定部２２が電線カバーに形成されていると、電線カバーを取り外す際に、結束バンド６０も取り外さねばならず、作業が煩雑になる。また、振動発生時に、ハウジング２０と電線カバーとの間にがたが発生すると、そのがた付きの影響が電線４０にまで及ぶことになる。その点、本実施形態のように、電線固定部２２がハウジング２０と一体に形成されていれば、電線カバーを取り外す際に、結束バンド６０を取り外す必要がなく、かつ電線カバーのがた付きの影響が電線４０にまで及ぶのが回避される。
【００３１】
また、主バンド通し部２７と副バンド通し部２８とが幅方向に千鳥配置されているため、主バンド通し部２７と副バンド通し部２８との間の距離が過度に詰められることがない。したがって、例えば、巻回経路３では、主バンド通し部２７と副バンド通し部２８との間にある程度まとまった本数の電線４０を保持することができる。また、主バンド通し部２７と副バンド通し部２８とが幅方向に千鳥配置されているため、両通し部２７、２８が幅方向に一直線上に並んで配置されるよりも、電線固定部２２の強度を高めることができる。
【００３２】
さらに、型抜き孔２５が副バンド通し部２８で構成されているから、型抜き孔２５と副バンド通し部２８とが別々に形成されている場合に比べ、電線固定部２２の構成が簡素化される。
【００３３】
＜他の実施形態＞
本発明は上記記述及び図面によって説明した実施形態に限定されるものではなく、例えば次のような実施形態も本発明の技術的範囲に含まれる。
（１）電線固定部の幅方向中間部に、２つ以上の副バンド通し部が形成されていてもよい。
（２）主バンド通し部が、電線固定部の幅方向両側縁に切り欠いて形成されていてもよい。
（３）結束バンドが二本用意され、このうち一本の結束バンドが主バンド通し部の一方と副バンド通し部とに掛け止められ、もう一本の結束バンドが主バンド通し部の他方と副バンド通し部とに掛け止められる態様であってもよい。この場合、副バンド通し部は、二本の結束バンドに共用されるとよい。
（４）結束バンドが電線固定部の幅方向一側縁と主バンド通し部とに掛け止められる態様であってもよい。また、結束バンドが電線固定部の幅方向一側縁と副バンド通し部とに掛け止められる態様であってもよい。
（５）リブが、相手ハウジングに対するハウジングの誤組み付けを防止する機能を有するものであってもよい。
【符号の説明】
【００３４】
１０…コネクタ
２０…ハウジング
２２…電線固定部
２５…型抜き孔
２７…主バンド通し部
２８…副バンド通し部
２９…リブ
４０…電線
６０…結束バンド
【図１】
0005585461.tif 000002
【図２】
0005585461.tif 000003
【図３】
0005585461.tif 000004
【図４】
0005585461.tif 000005
【図５】
0005585461.tif 000006